(57)【要約】【課題】投射系光軸の中心とスクリーンの中心とがずれた場合でも、優れたコントラストの反射型スクリーンを得ること。【解決手段】本発明にかかる反射型スクリーンは、基材１１と、基材１１の入射側の面上に形成され、複数のレンズ部が配列されたレンチキュラーレンズ１２と、基材１１のレンチキュラーレンズ１２とは反対側の面上に、レンズ部に対応して複数設けられ、レンズ部に対する投射光の入射角に基づき、当該レンズ部の光軸に対する中心線のずれ幅が定めされる反射部１６と、隣接する反射部１６の間に配設され、レンチキュラーレンズ１２に入射した外光を吸収する外光吸収部１３とを有する。そして、外光吸収部１３は、レンチキュラーレンズ１２とは反対側に向けて突出した凸部と、凸部の頂部３０に設けられ、レンチキュラーレンズ１２側に窪んだ溝部３１に設けられた外光吸収層からなる。【選択図】図１
2008281812.tif 000002
【特許請求の範囲】
【請求項１】
基材と、
前記基材の入射側の面上に形成され、複数のレンズ部が配列されたレンチキュラーレンズと、
前記基材の前記レンチキュラーレンズとは反対側の面上に、前記レンズ部に対応して複数設けられ、前記レンズ部に対する投射光の入射角に基づき、当該レンズ部の光軸に対する中心線のずれ幅が定められる反射部と、
隣接する前記反射部の間に配設され、前記レンチキュラーレンズに入射した外光を吸収する外光吸収部とを有し、
前記外光吸収部は、
前記レンチキュラーレンズとは反対側に向けて突出した凸部と、
前記凸部の頂部に設けられ、前記レンチキュラーレンズ側に窪んだ溝部に設けられた外光吸収層からなることを特徴とする反射型スクリーン。
【請求項２】
前記ずれ幅が、前記レンチキュラーレンズの配列方向の一端より他端のほうが大きい請求項１に記載の反射型スクリーン。
【請求項３】
最も小さい前記ずれ幅がゼロである請求項１又は２に記載の反射型スクリーン。
【請求項４】
前記ずれ幅は、前記ずれ幅が最も小さい位置から前記レンズ部の配列方向に沿って離れるに従い、徐々に大きくなる請求項１乃至３のいずれかに記載の反射型スクリーン。
【請求項５】
前記ずれ幅は、前記レンズ部の配列方向の前記投射源に近い一端より他端のほうが大きい請求項１乃至４のいずれかに記載の反射型スクリーン。
【請求項６】
前記反射部が接着層からなり、前記接着層によって前記基材と貼り合せられた裏打ちシートをさらに有する請求項１乃至５のいずれかに記載の反射型スクリーン。
【発明の詳細な説明】
【技術分野】
【０００１】
本発明は、反射型スクリーンに関する。
【背景技術】
【０００２】
従来から、液晶、ＤＭＤ（Digital Micro mirror Device）を映像源としたプロジェクタが広く普及している。特に、スクリーン前面に映像光を投射するフロントプロジェクタは、容易に画面を大型にすることができるという長所があるため広く使用されている。このフロントプロジェクタでは、明室で観視すると外光がスクリーン面で反射して映像のコントラストが劣るという欠点がある。
【０００３】
この点を改善するためのスクリーンの一例が、特許文献１に開示されている。特許文献１に開示のスクリーンでは、レンチキュラーレンズシートの背面側に反射層と光吸収層が設けられている。そして、反射層によって映像光を反射し、光吸収層によって外光を吸収することにより、コントラストを向上させている。また、特許文献１には映像光源とスクリーンの配置を考慮し、反射層等の位置を定める技術も提案されている。具体的には、映像光源をスクリーンの中心付近に配置した場合を考慮し、レンチキュラーレンズシート入射面のレンズ部と、光吸収層又は反射層との相対位置をスクリーンの中心側と外側とで異ならせている。
【０００４】
しかし、近年は様々な投射配置のフロントプロジェクタが使用されている。図９にスクリーンの配置状態の一例が示されている。図９に示すように、フロントプロジェクタ９２０は、例えば机上に置かれることが多い。このため、スクリーン９１０は、観察者から見て机の影にならない位置に配置される。すなわち、スクリーン９１０の下端が机の高さ程度の高さに位置し、スクリーン９１０全体が机の高さよりも上方に位置している。そのため、フロントプロジェクタ９２０は、スクリーン中央より下方に偏った位置を投射系光軸の中心として映像光を投射して映像を投影している。さらに投射系光軸の中心をスクリーンの外に配置して映像を投影する場合もある。このため、上記のような配置にした場合、映像光源をスクリーンの中心付近に配置した場合のみを考慮した特許文献１の技術では対応できない。すなわち、上記のような配置を考慮して、レンチキュラーレンズシート入射面のレンズ部と、光吸収層又は反射層との相対位置に工夫が必要である。
【０００５】
さらにコントラストを改善する技術として、光吸収層が反射層より観察側へ突出しているスクリーンの一例も特許文献１に開示されている。すなわち、レンチキュラーレンズシートには、反観察側に向けて突出した凸部が形成され、凸部の頂部に反射層、その他の部分に光吸収層が形成されている。従って、レンチキュラーレンズシートの一方の面は、凸形状のレンズとなり、もう一方の面も凸形状となっている。つまり、レンチキュラーレンズシートの両面には、楔状の溝が対向して形成されている。しかし、このようなシートは裂けやすく、実用上は、レンチキュラーレンズシートの裏面（背面）に裏打ちシートを貼り合せる必要がある。そのため、レンズシート形成工程、反射層形成工程、光吸収層形成工程、さらに裏打ちシート貼り合せ工程のそれぞれが必要で、製造工程が煩雑である。
【０００６】
また、光吸収層を形成する方法としては、黒インクを塗布後、乾燥あるいは硬化することが一般的に考えられる。しかし、黒インクの体積が一定以上であると、光吸収層の中心部分まで充分乾燥あるいは硬化するためには長時間の処理が必要となる、という問題がある。黒インクの基材が紫外線硬化性樹脂である場合は、光吸収層の中心部分まで紫外線が透過しにくいため、特に問題である。
【特許文献１】特開平４−２１４５４７号公報
【発明の開示】
【発明が解決しようとする課題】
【０００７】
このように、投射系光軸の中心とスクリーンの中心とがずれた場合に対応する反射型スクリーンが求められている。さらに、レンチキュラーレンズ、光吸収層、反射層、及び裏打ちシートを備えた反射型スクリーンを簡便に製造する技術が求められている。
【０００８】
本発明は、上記のような問題を鑑みるためになされてものであり、投射系光軸の中心とスクリーンの中心とがずれた場合でも、コントラストに優れた反射型スクリーンを提供することを目的とする。
【課題を解決するための手段】
【０００９】
本発明にかかる反射型スクリーンは、基材と、前記基材の入射側の面上に形成され、複数のレンズ部が配列されたレンチキュラーレンズと、前記基材の前記レンチキュラーレンズとは反対側の面上に、前記レンズ部に対応して複数設けられ、前記レンズ部に対する投射光の入射角に基づき、当該レンズ部の光軸に対する中心線のずれ幅が定められる反射部と、隣接する前記反射部の間に配設され、前記レンチキュラーレンズに入射した外光を吸収する外光吸収部とを有し、前記外光吸収部は、前記レンチキュラーレンズとは反対側に向けて突出した凸部と、前記凸部の頂部に設けられ、前記レンチキュラーレンズ側に窪んだ溝部に設けられた外光吸収層からなることを特徴とするものである。これにより、投射系光軸の中心とスクリーンの中心とがずれた場合でも、優れたコントラストを得ることができる。さらに、シートの厚み方向に伸びた外光吸収部を効率的に形成することができる。
【００１０】
また、上記の反射型スクリーンであって、前記ずれ幅が、前記レンチキュラーレンズの配列方向の一端より他端のほうが大きいがよい。
そして、上記の反射型スクリーンであって、最も小さい前記ずれ幅がゼロであってもよい。
さらに、上記の反射型スクリーンであって、前記ずれ幅は、前記ずれ幅が最も小さい位置から前記レンズ部の配列方向に沿って離れるに従い、徐々に大きくなってもよい。
なお、上記の反射型スクリーンであって、前記ずれ幅は、前記レンズ部の配列方向の前記投射源に近い一端より他端のほうが大きくてもよい。
【００１１】
上記の反射型スクリーンであって、前記反射部が接着層からなり、前記接着層によって前記基材と貼り合せられた裏打ちシートをさらに有してもよい。これにより、反射型スクリーンの生産性を向上させることができる。
【発明の効果】
【００１２】
本発明によれば、投射系光軸の中心とスクリーンの中心とがずれた場合でも、コントラストに優れた反射型スクリーンを提供することができる。
【発明を実施するための最良の形態】
【００１３】
実施の形態１．
以下、本発明を実施するための最良の形態について図を参照して説明する。まず、図１、２を用いて、本発明に係る反射型スクリーンの概略構成について説明する。図１、２は、本発明に係る反射型スクリーン１０の一構成例を示す断面模式図である。図１、２に示すように、本発明に係る反射型スクリーン１０は、基材１１、レンチキュラーレンズ１２、外光吸収層１３、反射層１４を有する。
【００１４】
基材１１は、アクリル樹脂等によって構成され、反射型スクリーン１０の本体となるシート状の部材である。そして、基材１１の一方の面に、レンチキュラーレンズ１２が形成される。レンチキュラーレンズ１２は、水平方向および垂直方向に光を拡散させる機能を有する光学シートである。そして、このレンチキュラーレンズ１２が形成された面（レンズ面）が、投射光（映像光）の入射面となる。レンチキュラーレンズ１２は、断面形状が略Ｃ字状である柱状の凸部を複数有する。また、柱状の凸部は、互いに平行になるように、連続的に形成される。
【００１５】
一例として、この凸部の断面形状を略半楕円状とすることができる。凸部は、投射光を出射するプロジェクタ等の投射源（映像光源）２０に向かって突設される。すなわち、レンチキュラーレンズ１２は、投射光の入射側（映像光の投射側）に向かって凹凸を有する。このそれぞれの凸部が、レンチキュラーレンズ１２のレンズ部となる。すなわち、レンチキュラーレンズ１２には、複数のレンズ部が配列されている。このレンチキュラーレンズ１２のそれぞれのレンズ部は、反射型スクリーン１０が壁等に取付けられた状態で略水平に延在している。そして、レンズ部は垂直方向、すなわち上下方向に配列される。
【００１６】
レンチキュラーレンズ１２のレンズピッチは、好適には、０．３ｍｍ以下とすることができる。一般に、反射型スクリーン１０は８０インチ以上の投影サイズで用いられることが多い。このときの上下方向の映像サイズは約１２００ｍｍとなる。垂直方向の画素数が４８０本、７２０本、１０８０本である場合には、画素ピッチはそれぞれ約２．５ｍｍ、１．７ｍｍ、１．１ｍｍ等になる。画素ピッチとレンチピッチが干渉して発生するモアレは、画素ピッチ／レンチピッチの値が大きいほど目立ちにくく、整数倍に近いほど目立ちやすい。レンチピッチを０．３ｍｍ以下とすることによって、画素ピッチ／レンチピッチ＝約８．３、５．６、３．７以上となり、モアレを低減することが可能となる。
【００１７】
上記のようなレンチキュラーレンズ１２は、例えば、押出し成形法等によって形成され、透光性樹脂等の一般の材料によって形成される。好適には、押出し成形によって形成する場合、レンチキュラーレンズ１２の材料として、アクリル系樹脂、スチレン系樹脂等の透光性樹脂を用いることが望ましい。また、耐キズ付性の観点から、レンチキュラーレンズ１２の材料として、ウレタン系樹脂等の透光性樹脂を用いることが望ましい。また、これら材料中に帯電防止材、紫外線吸収材、光吸収材、光拡散材等を含めることも可能である。
【００１８】
また、基材１１のレンチキュラーレンズ１２とは反対面（基材１１の背面）には、複数の凸部が形成されている。この凸部は、基材１１のレンチキュラーレンズ１２とは反対側に向けて突出している。すなわち、基材１１の背面が凹凸を有する。また、基材１１の隣接する凸部に挟まれる凹部は、レンチキュラーレンズ１２の複数のレンズ部に対応してそれぞれ設けられる。このように、背面に凹凸が形成された基材１１及びレンチキュラーレンズ１２がレンチキュラーレンズシートとなる。また、基材１１背面に形成されたそれぞれの凸部の頂部の略全体に、外光吸収層１３が形成される。すなわち、レンチキュラーレンズ１２のレンズ面に対して基材１１の反対側に、外光吸収層１３が並設されている。詳細には、外光吸収層１３は、レンズ部の延在方向と同じ方向に延在している。そして、外光吸収層１３は、レンズ部の配列方向と同じ方向、すなわち垂直方向に配列される。外光吸収層１３は、外光を吸収する機能を有する。この外光吸収層１３が形成された部分が外光吸収部となる。
【００１９】
外光吸収層１３の面積比率、すなわち外光吸収部の面積比率が大きいほど反射型スクリーン１０のコントラスト性能は優れる。このため、外光吸収層１３の面積比率を大きくするのが好ましい。しかし、外光吸収層１３の面積比率が過度に大きいと、投射源２０と反射型スクリーン１０の配置によっては映像が暗くなる。従って、外光吸収層１３の面積比率は、基材１１の背面全体に対して２０％〜７０％であるのが好ましく、より好ましくは３０〜６０％である。
【００２０】
また、基材１１背面の略全面に反射層１４が形成される。すなわち、レンチキュラーレンズ１２が配設されたレンズ面に対して基材１１の反対面に反射層１４が設けられる。また、外光吸収層１３が形成された外光吸収部では、外光吸収層１３の背面側に反射層１４が形成される。反射層１４は、反射型スクリーン１０に入射した入射光を反射する機能を有する。基材１１の背面で反射層１４が形成された部分であって、外光吸収層１３が形成されていない部分が反射部１６となる。すなわち、隣接する外光吸収部の間に、反射部１６が配置される。換言すると、基材１１背面の凹部には、反射部１６が形成され、反射部１６はレンズ部に対応して複数設けられる。反射部１６は、レンチキュラーレンズ１２の焦点位置付近から、焦点位置とレンズ頂部との間の距離（焦点距離）に対して１／３だけレンズ側へ離れた位置付近に設けるのが好ましい。すなわち、レンズ頂部から反射部１６までの距離は、（焦点距離〜焦点距離×２／３）であるのが好ましい。これにより、観察側（投射光の投射側）に出射される投射光が、レンズ部により屈折されながら拡散反射し、反射型スクリーン１０の視野角を広げることができる。このように、基材１１の入射側の面上には、レンチキュラーレンズ１２が形成され、基材１１の入射側とは反対側の面上には、光吸収部及び反射部１６が形成される。
【００２１】
レンチキュラーレンズ１２のレンズ部の光軸と、当該レンズ部に対応する反射部１６の中心線とのずれ幅は、それぞれのレンズ部によって異なる。具体的には、レンズ部に対する投射光の入射角に基づいた、当該レンズ部の光軸と、当該レンズ部に対応する反射部１６の中心線とのずれ幅となっている。すなわち、レンズ部に対する投射光の入射角に基づき、当該レンズ部の光軸と、当該レンズ部に対応する反射部１６の中心線との相対的な位置関係が定められている。ここでは、レンズ部に対する投射光の入射角が小さい場合、ずれ幅も小さくする。反対に、レンズ部に対する投射光の入射角が大きい場合、ずれ幅も大きくする。すなわち、レンズ部に対する投射光の入射角が大きくなるにつれて、ずれ幅も大きくなる。
【００２２】
図１及び図２において、レンズ部に対する投射光の入射角は、一端（ここでは下端）より他端（ここでは上端）のほうが大きくなっている。このため、下端におけるずれ幅は、上端におけるずれ幅よりも小さくなっている。すなわち、投射源２０側の一端、すなわち投射源２０に近い一端におけるずれ幅は、他端におけるずれ幅よりも小さくなっている。また、下端から上端に向けて、レンズ部に対する投射光の入射角が大きくなる。このため、このずれ幅は、反射型スクリーン１０の下端から上端に向かって徐々に大きくなっている。具体的には、このずれ幅は、レンチキュラーレンズ１２のレンズ部の配列方向（垂直方向）の下端から上端に向かって徐々に大きくなっている。すなわち、それぞれのレンズ部におけるずれ幅を比較した場合、より上端側のレンズ部におけるずれ幅のほうが大きくなっている。換言すると、ずれ幅の最も小さい位置からレンズ部の配列方向に沿って離れるに従い、ずれ幅は大きくなる。ここでは、上記のようにずれ幅の最も小さい位置を下端とし、最も小さいずれ幅をゼロとしている。
【００２３】
このため、下端では、レンズ部の光軸と当該レンズ部と対応する反射部１６の中心線とは一致している。そして、この延長線上に、投射源２０が配置されている。ここで、対応する反射部１６の中心線と一致し、その延長線上に投射源２０が配置されるレンズ部の光軸を投射系光軸とする。このように、投射系光軸は、反射型スクリーン１０の中央より上下方向にずれた位置にある。従って、投射光を出射する投射源２０は、反射型スクリーン１０中央より上下方向にずれた位置に配置されている。そして、投射光は、反射型スクリーン１０の中央からずれた位置を投射光軸として反射型スクリーン１０に入射される。好適には、図１、２に示すように、投射光を出射する投射源２０は、反射型スクリーン１０の下端付近の高さに配置される。具体的には、投射源２０は、反射型スクリーン１０の下端付近の配置されたレンチキュラーレンズ１２のレンズ部の光軸の延長線上に配置されている。このとき、投射系光軸は反射型スクリーン１０下端付近のレンチキュラーレンズ１２のレンズ部の光軸に対して平行である。そして、投射光は反射型スクリーン１０の下端付近では平行に入射される。
【００２４】
投射系光軸から上方に離れるのに従い、レンチキュラーレンズ１２のレンズ部に対して、当該レンズ部に対応する反射部１６の中心線は上方にずれている。すなわち、反射部１６及び当該反射部１６に隣接する外光吸収部の位置は、投射系光軸から上方に離れるのに従ってレンズ部に対して上方にずれている。それとともに、これらの位置は、投射系光軸から下方に離れるのに従ってレンズ部に対して下方にずれている。従って、投射系光軸付近のレンズ部では、投射光は投射系光軸に対して平行に入射する。すなわち、レンズ部に対する投射光の入射角は、０°である。一方、投射系光軸から離れるに従って、投射系光軸に対して傾斜した状態でレンズ部に入射する。すなわち、レンズ部に対する投射光の入射角は、投射系光軸から離れるに従って大きくなる。このため、投射系光軸より上側では、レンズ部の位置に対して、より上方に投射光が進む。従って、投射系光軸より上側では、より上方に進む投射光を反射させるために、反射部１６をレンズ部に対して、より上方に配置している。また、投射系光軸より下側では、レンズ部の位置に対して、より下方に投射光が進む。従って、投射系光軸より下側では、より下方に進む投射光を反射させるために、反射部１６をレンズ部に対して、より下方に配置している。
【００２５】
好適には、図２に示すように、投射系光軸が反射型スクリーン１０下端のレンズ部に入射する投射光の光軸に平行であるとする。すなわち、反射型スクリーン１０下端のレンズ部は、投射系光軸近傍に位置する。この場合には、このレンズ部に対応する反射部１６は、反射型スクリーン１０の下端でレンズ部に対向した位置に正対している。それとともに、外光吸収部及び反射部１６の位置は、反射型スクリーン１０の上端へ近づくほどレンズ部より上方にずれている。
【００２６】
次に、図３を参照して、反射型スクリーン１０の１つのレンズ部における詳細な構成について説明する。図３は、レンチキュラーレンズ１２のレンズ部の構成を示す断面模式図である。図３においては、投射系光軸に対して投射光が平行に入射するレンズ部を示している。すなわち、図１及び図２における下端付近のレンズ部を示している。図３に示されるように、基材１１は、レンチキュラーレンズ１２とは反対側、すなわちレンズ面とは反対側に向けて突出する凸部を有する。さらに、凸部は、頂部３０から観察側に延びた溝部３１を有する。すなわち、頂部３０からレンチキュラーレンズ１２側に窪んだ溝部３１を有する。凸部の頂部３０及び溝部３１の略全体に外光吸収層１３が形成される。このような形状であると、シート厚み方向に伸びた外光吸収層（外光吸収部）１３を効率的に形成することができる。
【００２７】
そして、基材１１の背面側（反射型スクリーン１０の背面側）には、反射層１４が略全面に形成される。反射層１４によって、基材１１の背面に形成された凹凸が埋まり、平坦になる。そして、反射層１４の背面側には、裏打ちシート１５が貼付される。これにより、反射型スクリーン１０が裂けにくくなり、巻き上げ可能となる。
【００２８】
また、凸部の断面形状は、頂部３０が湾曲し、頂部３０以外の部分、すなわち斜面部が直線状であってもよい。そして、頂部３０に形成された溝部３１の断面形状は、略Ｖ字型を有するのが好ましい。好適には、外光吸収層１３の断面形状は、凸部が直線状の斜面部と、略平坦な頂部３０とを有し、溝部３１がこの頂部３０に連結された一組の平坦な斜面部を有した形状することが望ましい。より詳細には、この溝部３１は、先端がある程度の幅の平面部を有する台形状、または先端が丸まった三角形状にすることが望ましい。
【００２９】
また溝部３１の形状はレンズ列方向に傾ける事ができる。さらに傾ける量をレンズ部の光軸と反射部１６の中心線とのずれ幅に応じて変化させる事ができる。これによって、投射光をより効率よく反射し、外光をより効率よく吸収することができる。本発明に係る反射型スクリーン１０は、以上のように構成される。
【００３０】
さらに続いて、本発明に係る反射型スクリーン１０の動作について説明する。ここでは、投射系光軸が反射型スクリーン１０の下端付近に位置する場合について説明する。
【００３１】
図２に示すように投射源２０からの投射光は、投射系光軸から離れるのに従って、レンズ部に対する入射角が大きくなる。すなわち、投射光は、反射型スクリーン１０下端から上端に向かって離れるのに従って広がりながら、レンチキュラーレンズ１２に斜入射する。このように、上端に向かうに従い、投射光は、入射角、すなわち傾斜角が大きくなり、斜入射する。従って、上端に向かうに従い、レンズ部に入射した投射光は、入射したレンズ部の光軸より上方に向けて進む。このため、斜入射した投射光は、投射系光軸から上方に離れるのに従い、対応するレンズ部に対して、より上方にずれた反射層１４によって観察側に反射される。
【００３２】
これに対して、反射型スクリーン１０上方の室内照明等の外光源２１からの外光は、投射系光軸から離れるのに従ってレンズ部に対する入射角が大きくなる。すなわち、外光は、反射型スクリーン１０上端から下端に向かって離れるのに従って広がりながら入射され、投射源２０とは反対方向に傾斜した状態で斜入射される。このように、下端に向かうに従い、外光は、入射角、すなわち傾斜角が大きくなり、斜入射する。従って、下端に向かうに従い、レンズ部に入射した投射光は、入射したレンズ部の光軸より下方に向けて進む。反射層と同様、外光吸収層１３も上方に向かうのに従って、対応するレンズ部の光軸に対して上方にずれている。このため、斜入射した外光は、上方に向かうのに従い、対応するレンズ部に対して、より上方にずれた外光吸収部によって吸収される。
【００３３】
次に、投射系光軸に対して平行な状態で、レンズ部に入射する投射光の光路について詳細に説明する。投射源２０からの投射光は、投射系光軸に対して平行となった状態で、レンチキュラーレンズ１２のレンズ部に入射する。すなわち、レンズ部に対する投射光の入射角が０°となり、レンズ部の光軸と投射光とは平行となる。ここで、投射光が入射するレンズ部は、投射系光軸に最も近いレンズ部であり、例えば図２に示される下端のレンズ部である。このレンズ部の光軸は当該レンズ部に対応する反射部１６の中心線と一致し、レンズ部と反射部１６とが正対している。そして、レンズ部に入射した投射光は、当該レンズ部に正対した反射部１６に入射し、観察側に反射される。このとき、レンチキュラーレンズ１２の集光位置がレンチキュラーレンズシート外部に位置する場合、反射部１６で反射した投射光は拡散しながら観察側に出射する。すなわち、レンチキュラーレンズ１２の集光位置が、投射光の入射方向において、反射部１６よりも遠い位置にある場合、反射部１６で反射した投射光は拡散しながら観察側に出射する。
【００３４】
次に、投射系光軸に対して傾斜した状態で、レンズ部に入射する投射光の光路について詳細に説明する。投射源２０からの投射光は、投射系光軸に対して傾斜した状態で、レンチキュラーレンズ１２のレンズ部に斜入射する。すなわち、レンズ部に対する投射光の入射角が０°より大きくなり、レンズ部の光軸に対して投射光は傾斜している。ここで、投射光が斜入射するレンズ部は、投射系光軸から離れたレンズ部であり、例えば図２に示される上方のレンズ部である。このレンズ部の光軸と当該レンズ部に対応する反射部１６の中心線とは所定のずれ幅を有し、例えばレンズ部に対して反射部１６が上方に位置する。そして、レンズ部に斜入射した投射光は、当該レンズ部に正対した位置からずれた反射部１６に入射し、反射される。この反射した投射光は、拡散しながら観察側に出射する。また、このずれ幅は、レンズ部に対する投射光の入射角が大きくなるに従い、大きくするのが好ましい。これは、投射光の入射角が大きくなるにつれて、レンズ部の光軸に対してより上方に進む投射光を反射部１６によって反射させるためである。
【００３５】
次に、レンズ部に入射する外光の光路について詳細に説明する。投射光に対して、外光源２１からの外光は、多くのレンチキュラーレンズ１２に対して斜入射する。そして、外光の多くは、投射系光軸から離れたレンチキュラーレンズ１２のレンズ部に斜入射する。すなわち、図２においては、上方のレンズ部に外光の多くが斜入射する。斜入射した外光は、レンズ部によって集光され、外光吸収層１３によって吸収される。すなわち、投射光のように反射層１４によって反射して外光が出射されることない。従って、外光吸収部及び反射部１６は、外光源２１とレンズ部との距離に応じてずれた位置に配置されている。すなわち、レンズ部に対する外光源２１からの外光の入射角にも基づき、外光吸収部及び反射部１６が形成されている。
【００３６】
このように、本発明に係る反射型スクリーン１０では、投射光は外光吸収部によって吸収されることなく、反射部１６によって反射される。これに対して、外光は反射部１６によって反射されることなく、外光吸収部によって吸収される。また、レンズ部に対する投射光の入射角に応じて、すなわち反射型スクリーン１０に対する投射系光軸の位置に応じて、外光吸収部及び反射部１６とレンズ部との相対的な位置を変化させている。このため、本発明に係る反射型スクリーン１０によれば、投射系光軸とスクリーンの中心とがずれた場合、すなわち投射系光軸がスクリーンの上下に偏った場合でも優れた明るさとコントラストを得ることができる。また、本実施の形態に係る反射型スクリーン１０では、レンズピッチ０．３ｍｍ以下とすることができる。これによって、本実施の形態に係る反射型スクリーン１０では、画素とのモアレを低減しながら、明るさとコントラストをさらに向上させることができる。
【００３７】
なお、投射系光軸は反射型スクリーン１０の外部にあってもよい。すなわち、投射光を出射する投射源２０は、反射型スクリーン１０より下側または上側に配置される。この場合、反射型スクリーン１０のすべての位置で、反射部１６の中心線の位置が、当該反射部１６に対応するレンズ部の光軸に対してずれている。詳細には、投射系光軸が反射型スクリーン１０の下端よりも下側にある場合、反射部１６の中心線の位置はすべて、対応するレンズ部の光軸より上方になるように配置される。この場合でも、上記と同様、投射系光軸から上方に離れるに従って、レンズ部の光軸と、当該レンズ部に対応する反射部１６の中心線とのずれ幅が大きくなっている。これに対して、投射系光軸が反射型スクリーン１０の上端よりも上側にある場合には、反射部１６の中心線の位置はすべて、対応するレンズ部の光軸より下方になるように配置される。この場合でも、上記と同様、投射系光軸から下方に離れるに従って、レンズ部の光軸と、当該レンズ部に対応する反射部１６の中心線とのずれ幅が大きくなっている。
【００３８】
次いで、本発明に係る反射型スクリーン１０における外光吸収層１３、反射層１４の形成方法の一例について説明するが、それに限定されるものではない。
【００３９】
図３に示すように、基材１１背面において、頂部３０に溝部３１を有する凸部を形成する。そして、この凸部に黒インクを塗布することによって、頂部３０及び溝部３１に同時に外光吸収層１３を形成することができる。例えばロールナイフを用いたロール印刷あるいはスクリーン印刷によって外光吸収層１３を形成することができる。これにより、外光吸収層１３が凸部の頂部３０、及び溝部３１に同時に形成される。すなわち、凸部の頂部３０、及び溝部３１に外光吸収部が形成される。
【００４０】
溝部３１の形状は、三角形、台形などとすることができる。すなわち、凸部の頂部３０から溝部３１の先端に向けて、溝部３１の幅が狭くなっている。頂部３０における溝部３１の幅は、好ましくは７０μｍ以下、より好ましくは５０μｍ以下、特に好ましくは４０μｍ以下である。この範囲であると黒インクを塗布した時、インクの毛細管現象によって容易に溝部３１全体へ黒インクを充填できる。また溝部３１の先端の幅は、好ましくは１μｍ以上、より好ましくは３μｍ以上、特に好ましくは５μｍ以上である。この範囲以下であると成形型の製造が困難になったり、成形性が悪化する場合がある。また溝部３１の先端まで黒インクを充填する事が困難になり、反射型スクリーン１０を斜めから観視した時にムラが目立ちやすくなることがある。
【００４１】
さらに、インクの基材が紫外線硬化性樹脂である場合、溝部３１の中心部のインクまで充分に硬化するために、溝部３１の幅は好ましくは３０μｍ以下、より好ましくは２０μｍ以下、特に好ましくは１５μｍ以下である。この範囲であると黒インクを塗布後、紫外線照射によってインク全体を充分に硬化する事ができる。
【００４２】
次いで、本発明の反射型スクリーンの裏打ちシート及び貼り合せ工程について説明する。
【００４３】
図３に示すように、外光吸収層１３を形成した基材１１の外光吸収層１３側に反射層１４を積層する。ここでは、反射層１４として光拡散機能を有する接着材が用いられるので、反射層が接着層としての機能も兼ね備える。その後、接着層となる反射層１４によって、裏打ちシート４３を貼り合せる。すなわち、反射層１４を介在させて、基材１１と裏打ちシート１５とが貼り合わされる。より具体的な反射層１４としては、光拡散材、顔料、金属粉末などを混入した接着剤または粘着剤を用いることができる。接着剤、粘着剤としては、公知のものを使用できるが、反射型スクリーン１０の巻き取り収納を考慮すると柔軟なものが好ましい。また、接着剤、粘着剤としては、紫外線硬化性接着剤より粘着剤の方が好ましい。これは、レンチキュラーレンズシートの観察側から紫外線を照射しても外光吸収層１３に接した部分が硬化されにくいためである。また、裏打ちシート１５は、一般に白または黒の不透明なシートが用いられるため、裏側からの紫外線照射も出来ないためである。これにより、巻上げ可能な反射型スクリーン１０が完成する。ここで、本実施の形態では、反射層１４が接着層を兼ねているので、製造工程が１つ減る。このため、簡便であり、製造効率を向上させることができる。
【００４４】
なお凸状のレンチキュラーレンズ１２表面に、微細な凹凸を設けるのが好ましい。これにより、レンチキュラーレンズ１２表面で外光や映像の映り込みを防止することができる。この表面凹凸の成形法は、成形型をサンドブラスト等によって荒らす方法、樹脂中に光拡散材を混入する方法のような各種方法がある。特に、樹脂中に光拡散材を混入する場合には、この光拡散材として略等屈折の拡散材を用いるのが好ましい。
【００４５】
さらに、表面凹凸の程度としては、ＪＩＳ  Ｂ  ０６０１  ２００１で規定された表面粗さＲａが０．２μｍ〜１０μｍの範囲となるのが好ましい。表面粗さＲａが０．２μｍより小さい場合には映り込み防止効果を発揮できず、表面粗さＲａが１０μｍより大きい場合には映像がボケる等の問題が発生する。従って、表面凹凸の表面粗さＲａは０．２μｍ〜１０μｍであることが好ましい。ここで、レンチキュラーレンズ１２の表面凹凸の表面粗さＲａとは、レンズ頂部をレンズ長手方向に測定した場合のことを示す。
【００４６】
また、レンチキュラーレンズ１２内に拡散材１５を含んでいてもよい。この場合には、レンチキュラーレンズ１２が設けられた反射型スクリーン１０の正面側（入射面側）よりも反射層１４が配設された反射型スクリーン１０の背面側に、より多くの拡散材１５が含有されているのが好ましい。この場合には、反射部１６は入射した投射光を拡散しながら反射することができるとともに、投射光の内、外光吸収部によって吸収される光の割合を小さくすることができる。
【００４７】
また、映像投射領域のみにレンチキュラーレンズ構造を有するシートを貼り合せることで、より大型サイズあるいは額縁状の周辺部を有するなどの意匠性の高い反射型スクリーンを製造する事ができる。
【００４８】
実施例．
本実施例として、次のようにレンチキュラーレンズシートを作製して反射型スクリーン１０を作製した。
メチルメタクリレート・スチレン（以下ＭＳ）共重合体樹脂を用いて、押出し機とロール金型によって、基材１１であるシート状樹脂上の一方の面にレンチキュラーレンズ１２を有し、レンズ面の反対面に凸部を有するレンチキュラーレンズシートを作製した。また、レンチキュラーレンズ１２は、ピッチ約０．１５ｍｍの半楕円柱状凸レンズ（レンズ部）が複数配列されたものとした。ここで、シート状樹脂中に架橋ＭＳ共重合体樹脂からなる平均粒子系８μｍの拡散材を４重量％だけ混入した。これにより、図４及び図５に示すような構成のレンチキュラーレンズシートが得られた。図４は、本実施例のレンチキュラーレンズシートの構成を示す断面模式図である。図５は、レンチキュラーレンズシートのレンズ面とは反対面に形成された凸部の構成を示す断面模式図である。なお、図５においては、後述の工程で形成される外光吸収層１３を合わせて図示する。
【００４９】
図４に示すように、レンズ部のピッチは、約０．１５ｍｍとした。また、レンズ部は、約０．０５ｍｍ突出させた。すなわち、凸部の高さを約０．０５ｍｍとした。そして、レンズ面とは反対面の凸部は、高さ約０．０５ｍｍとし、凸部の頂部３０の上下方向の長さを約０．０６ｍｍとした。レンズ面とは反対面の凹部からレンズ部の頂部までの長さを約０．２ｍｍとした。また、図５に示すように、レンズ面とは反対面の凸部は、底部の上下方向の長さを約０．０７ｍｍとした。そして、隣接する凸部間の距離を約０．０８ｍｍとした。レンズ面とは反対面の凸部は、高さ約０．０５ｍｍとし、その頂部３０からレンズ面側に延びた溝部３１を有している。溝部３１の先端部には、約０．００４ｍｍの平坦部があり、溝部３１の幅は約０．０２ｍｍ、長さ約０．１ｍｍとした。
【００５０】
ついで図６に示されたロール印刷装置を用いてレンズ面とは反対面の凸部に、外光吸収層１３を形成した。図６は、ロール印刷装置の構成を示す断面模式図である。
【００５１】
印刷ロール４０とロールナイフ４１とは、所定の間隔を隔てて、互いの軸方向を平行となるように配置される。また、印刷ロール４０及びロールナイフ４１の軸方向における両端部には、それぞれインク流出防止壁４２が形成されている。そして、印刷ロール４０、ロールナイフ４１、及びインク流出防止壁４２で囲まれる領域がインク溜４３となり、黒インク等の外光吸収層形成用のインク４５が充填される。印刷ロール４０は回転可能となっており、印刷ロール４０を回転させることにより、インク溜４３に充填されたインク４５が印刷ロール４０に塗布される。なお、印刷ロール４０に塗布されるインク４５の厚さは、印刷ロール４０とロールナイフ４１との間隔を変化させることによって調整できる。また、印刷ロール４０の下方には、バックアップロール４４が配置される。バックアップロール４４は、回転可能となっており、印刷ロール４０の回転方向に対して反対方向に回転する。
【００５２】
この印刷ロール４０とバックアップロール４４との間に、レンチキュラーレンズシート４６を搬送する。そして、印刷ロール４０とバックアップロール４４とをそれぞれ回転させることにより、レンチキュラーレンズシート４６が平行に移動する。そして、所定の厚さにインク４５が塗布された印刷ロール４０と、レンチキュラーレンズシート４６とが接触することにより、レンチキュラーレンズシート４６にインク４５が塗布される。なお、ここでは、レンチキュラーレンズシート４６のレンズ面とは反対面の凸部の頂部３０と印刷ロール４０とを接触させた。これにより、頂部３０表面に約０．０１ｍｍの厚さでインク４５が塗布された。また、頂部３０に形成された溝部３１の略全面にもインク４５が充填され、頂部３０及び溝部３１に外光吸収層１３（外光吸収部）が形成された。
【００５３】
その後、反射層１４兼接着層（粘着層）となる、白色顔料を混入した粘着剤によって裏打ちシート１５を貼り合せ、巻上げ可能な反射型スクリーン１０を製造した。製造した反射型スクリーン１０のスクリーンサイズは縦１．７ｍ、横２．２ｍであった。
なおレンズ部の光軸と当該レンズ部に対応する反射部１６の中心線とのずれ幅は、下端で略０ｍｍ、上端で約０．０１ｍｍであった。ここでは、レンズ部の光軸から反射部１６の中心線が上方へずれていた。
【００５４】
比較例．
比較例の反射型スクリーン１０として、従来からのクラレプラスチックス株式会社製スクリーン「ＷＧ−２２５」を使用した。
【００５５】
実施例と比較例の評価．
実施例の反射型スクリーン１０と比較例の反射型スクリーン１０とを明るさ評価と映像目視評価とを行った。
図７、８に、実施例と比較例における反射型スクリーン１０の配置状態の一例が示されている。図７は、反射型スクリーン１０の配置状態の一例を示す側面模式図である。図８は、反射型スクリーン１０の配置状態の一例を示す上面模式図である。図７、８に示すように、壁に高さ１．７ｍ、幅２．２ｍの反射型スクリーン１０を配置した。また、反射型スクリーン１０は、反射型スクリーン１０下端から床までの距離が０．８ｍ、反射型スクリーン１０上端から天井までの距離が１．５ｍとなるように配置した。そして、反射型スクリーン１０を配置した壁（投射側の壁）から投射源２０までの距離を５．０ｍ、床から投射源２０、詳細には投射系光軸までの高さを０．８ｍとした。すなわち、反射型スクリーン１０下端と投射系光軸とが略一致するようにした。また、天井に、外光源２１を２箇所、設置した。外光源２１は、投射側の壁から５．５ｍ、投射側の壁に隣接するそれぞれの壁から０．５ｍの距離を隔てて配置した。また、投射側の壁の幅、すなわち投射側の壁に隣接する壁間の距離は、６．０ｍであった。そして、観視位置を床から１．１ｍの高さ、投射源２０から１．０ｍの距離とした。また、図８に示すように、上面視において、観視位置、投射系光軸、及び反射型スクリーン１０の中心部を一致させるようにした。
【００５６】
そして、明室内において、反射型スクリーン１０（実施例の反射型スクリーン１０及び比較例の反射型スクリーン１０）に映像を投射し、その明るさ及びコントラストを評価した。ここで用いたプロジェクタ（投射源２０）は日本アビオニクス株式会社製「ＭＰ−４５０」（画素数１，０２４×７６８）である。外光源２１は蛍光灯照明であり、反射型スクリーン１０中央部での照度は点灯時３６０ルクスであった。
【００５７】
＜明るさ評価＞
明るさ評価を行うために、輝度計を観視位置に設置し、全白映像を投射して蛍光灯照明を消灯状態で実施例と比較例の反射型スクリーン１０水平中央方向の上端、中央、下端の輝度を計測した。数値の大きい方が明るい映像である事を意味する。
コントラスト評価を行うために、プロジェクタを停止し、蛍光灯照明を点灯状態で実施例と比較例のスクリーン面の反射輝度を輝度計により測定した。測定位置は反射型スクリーン１０水平中央方向の上端、中央、下端である。数値の小さい方が黒がより黒く、コントラストが優れている事を意味する。
表１に、実施例と比較例における明るさとコントラストの測定結果が示されている。表１に示すように、実施例の反射型スクリーン１０は比較例よりも、明るさ、コントラストともに大きく向上しているのが分かる。
【００５８】
【表１】
2008281812.tif 000003
【００５９】
＜映像目視評価＞
蛍光灯照明を点灯状態でＴＶ映像を実施例および比較例の反射型スクリーン１０に投射して目視で評価した。その結果、実施例の反射型スクリーン１０は明るく映像のコントラストに優れており、また画素とレンチキュラーレンズ１２とのモアレも観察されなかった。これに対して、比較例の反射型スクリーン１０は外光により白くなり、コントラストが比較的劣る映像となった。
このように、本発明によれば、明るくコントラストに優れ、容易に製造でき、また画素とレンチキュラーレンズ１２とのモアレが目立たない反射型スクリーン１０を実現することができる。
【図面の簡単な説明】
【００６０】
【図１】実施の形態に係る反射型スクリーンの一構成例を示す断面模式図である。
【図２】実施の形態に係る反射型スクリーンの一構成例を示す断面模式図である。
【図３】実施の形態に係るレンズ部の構成を示す断面模式図である。
【図４】実施例に係るレンチキュラーレンズシートの構成を示す断面模式図である。
【図５】実施例に係る凸部の構成を示す断面模式図である。
【図６】実施例に係るロール印刷装置の構成を示す断面模式図である。
【図７】実施例及び比較例にかかる反射型スクリーンの配置状態の一例を示す側面模式図である。
【図８】実施例及び比較例にかかる反射型スクリーンの配置状態の一例を示す上面模式図である。
【図９】スクリーンの配置状態の一例が示す図である。
【符号の説明】
【００６１】
１０  反射型スクリーン、１１  基材、１２  レンチキュラーレンズ、
１３  外光吸収層（外光吸収部）、１４  反射層、１５  裏打ちシート、１６  反射部、
２０  投射源、２１  外光源、
３０  頂部、３１  溝部、
４０  印刷ロール、４１  ロールナイフ、４２  インク流出防止壁、４３  インク溜、
４４  バックアップロール、４５  インク、４６  レンチキュラーレンズシート、
９１０  スクリーン、９２０  フロントプロジェクタ
【図１】
2008281812.tif 000004
【図２】
2008281812.tif 000005
【図３】
2008281812.tif 000006
【図４】
2008281812.tif 000007
【図５】
2008281812.tif 000008
【図６】
2008281812.tif 000009
【図７】
2008281812.tif 000010
【図８】
2008281812.tif 000011
【図９】
2008281812.tif 000012